【手続補正書】
【提出日】平成15年11月6日(2003.11.6)
【手続補正１】
【補正対象書類名】明細書
【補正対象項目名】特許請求の範囲
【補正方法】変更
【補正の内容】
【特許請求の範囲】
【請求項１】
通信システムにおいてユーザにアドレスされた情報を識別する方法であって、２つ以上の受信器が受信する共用チャンネルを経て、トレーニングシーケンスが与えられたデータパケットを送信し(604)、そしてトレーニングシーケンスに基づいて受信器でチャンネル推定値を発生する(606)ことを含む方法において、
異なる受信器又は受信器グループにアドレスされたデータパケットに、異なるトレーニングシーケンスを与え、
受信器にアドレスされたデータパケットとして識別され(610)、そして受信器がトレーニングシーケンスを識別するところの受信したデータパケットを受信器において更に処理し、そして
受信器がトレーニングシーケンスを識別しないデータパケットを受信器において無視する、
という段階を含むことを特徴とする方法。
【請求項２】
上記識別段階は、
受信器において、チャンネル推定値を、チャンネルのクオリティを測定するスレッシュホールド値と比較し、
チャンネル推定値がスレッシュホールド値を越えるときにはデータパケットを更に処理し、そして
チャンネル推定値がスレッシュホールド値より小さいときにはデータパケットを無視する、
という段階を含む請求項１に記載の方法。
【請求項３】
上記チャンネル推定値は、信号干渉比(SIR)、搬送波／干渉比(C/I)、ビットエラー比(BER)、又はチップエネルギーと障害電力周波数との比(Ec/Io)である請求項２に記載の方法。
【請求項４】
受信器が共用チャンネルにおいて使用すべきトレーニングシーケンスは、共用チャンネルへのハンドオーバーの前に受信器に指示される請求項１、２又は３に記載の方法。
【請求項５】
受信器は、上記共用チャンネルと、並列専用チャンネルとの両方において時分割式に受信を行う請求項１、２、３又は４に記載の方法。
【請求項６】
上記並列専用チャンネルは、制御チャンネルである請求項５に記載の方法。
【請求項７】
各専用チャンネルは、異なるトレーニングシーケンスを使用する請求項５又は６に記載の方法。
【請求項８】
受信器は、共用チャンネルに、並列専用チャンネルと同じトレーニングシーケンスを使用する請求項５、６又は７に記載の方法。
【請求項９】
上記トレーニングシーケンスは、共用チャンネルへのハンドオーバーの前に共通の制御チャンネル又は並列の専用チャンネルを経て受信器に指示される請求項１ないし８のいずれかに記載の方法。
【請求項１０】
共用チャンネルの受け入れられたデータパケットを更に処理する前にそれに対してＣＲＣ（繰り返し冗長チェック）を実行する請求項１又は２に記載の方法。
【請求項１１】
上記チャンネル推定のスレッシュホールド値は、専用チャンネルを経て受信されたデータパケットに基づいて発生される請求項１、２又は５に記載の方法。
【請求項１２】
上記通信システムは、時分割多重アクセス型のセルラー無線ネットワークであり、上記共用チャンネルは、タイムスロットであり、そして上記データパケットは、タイムスロットにおいて送信されるべき無線バーストであって少なくとも上記トレーニングシーケンス及びデータを含む無線バーストである請求項１ないし１１のいずれかに記載の方法。
【請求項１３】
上記共用チャンネルがある搬送波には時分割デュープレックス原理（ＴＤＤ）が使用される請求項１０に記載の方法。
【請求項１４】
異なる拡散コードを使用してＣＤＭＡ原理で共用チャンネルのタイムスロットにおいて多数の無線バーストが同時に送信され、そして異なる受信器又は受信器グループに対し異なるトレーニングシーケンスが無線バーストにおいて使用される請求項１０又は１１に記載の方法。
【請求項１５】
上記受信器は、異なる拡散コードをもつ多数の無線バーストを同時に受信し、そしてそれがトレーニングシーケンスを識別するところの１つ以上の無線バーストを受け入れる請求項１２に記載の方法。
【請求項１６】
上記受信器は、トレーニングシーケンス及び拡散コードの両方により無線バーストを識別する請求項１２又は１３に記載の方法。
【請求項１７】
共用タイムスロットに、一度に１つのＴＤＭＡフレームが割り当てられ、そしてトレーニングシーケンスを使用して、どの受信器又は受信器グループにタイムスロットが各フレームに割り当てられるかを指示する請求項１０ないし１４のいずれかに記載の方法。
【請求項１８】
少なくとも１つの送信器(120)及び少なくとも１つの受信器(UE)を備えた通信システムであって、送信器(120)は、トレーニングシーケンス(300)が与えられたデータパケット(330A-330D)を共用チャンネル(312)に送信するように構成され、このチャンネルを経て２つ以上の受信器(UE)が上記データパケット(330A-330D)を受信するように構成され、そして受信器(UE)は、トレーニングシーケンス(300)に基づいてチャンネル推定値を発生するように構成された通信システムにおいて、
この通信システムは、異なる受信器(UE)又は受信器グループにアドレスされたデータパケット(330A-330D)に異なるトレーニングシーケンス(300)を与えるように構成され、
上記受信器(UE)は、その受信器(UE)にアドレスされたデータパケットであって受信器(UE)がトレーニングシーケンス(300)を識別するところのデータパケット(330A-330D)を識別しそして更に処理するように構成され、
上記受信器(UE)は、その受信器(UE)がトレーニングシーケンス(300)を識別しないデータパケット(330A-330D)を無視するように構成されたことを特徴とする通信システム。
【請求項１９】
上記受信器は、チャンネル推定値を、チャンネルのクオリティを測定するスレッシュホールド値と比較するように構成され、
上記受信器は、チャンネル推定値がスレッシュホールド値を越えるときにデータパケットを更に処理するように構成され、そして
上記受信器は、チャンネル推定値がスレッシュホールド値より小さいときにはデータパケットを無視するように構成される請求項１８に記載の通信システム。
【請求項２０】
上記チャンネル推定値は、信号干渉比(SIR)、搬送波／干渉比(C/I)、ビットエラー比(BER)、又はチップエネルギーと障害電力周波数との比(Ec/Io)である請求項１９に記載の通信システム。
【請求項２１】
上記送信器は、共用チャンネルへのハンドオーバーの前に受信器が共用チャンネルにおいて使用すべきトレーニングシーケンスを指示するように構成された請求項１８、１９又は２０に記載の通信システム。
【請求項２２】
上記受信器は、上記共用チャンネルと、並列専用チャンネルとの両方において時分割式に受信を行う請求項１８、１９、２０又は２１に記載の通信システム。
【請求項２３】
上記並列専用チャンネルは、制御チャンネルである請求項２２に記載の通信システム。
【請求項２４】
上記通信システムは、各専用チャンネルに異なるトレーニングシーケンスを使用するように構成された請求項２２又は２３に記載の通信システム。
【請求項２５】
上記受信器は、共用チャンネルに、並列専用チャンネルと同じトレーニングシーケンスを使用するように構成された請求項２２、２３又は２４に記載の通信システム。
【請求項２６】
上記送信器は、共用チャンネルへのハンドオーバーの前に共通の制御チャンネル又は並列の専用チャンネルを経て受信器にトレーニングシーケンスを指示するように構成された請求項１７ないし２５のいずれかに記載の通信システム。
【請求項２７】
上記受信器は、共用チャンネルの受け入れられたデータパケットを更に処理する前にそれに対してＣＲＣ（繰り返し冗長チェック）を実行するように構成された請求項１８又は１９に記載の通信システム。
【請求項２８】
上記受信器は、上記チャンネル推定のスレッシュホールド値を、専用チャンネルを経て受信されたデータパケットに基づいて発生するように構成された請求項１８、１９又は２２に記載の通信システム。
【請求項２９】
上記通信システムは、時分割多重アクセス型のセルラー無線ネットワークであり、上記共用チャンネルは、タイムスロットであり、そして上記データパケットは、タイムスロットにおいて送信されるべき無線バーストであって少なくとも上記トレーニングシーケンス及びデータを含む無線バーストである請求項１８ないし２８のいずれかに記載の通信システム。
【請求項３０】
上記通信システムは、上記共用チャンネルがある搬送波において時分割デュープレックス原理（ＴＤＤ）を使用するように構成された請求項２９に記載の通信システム。
【請求項３１】
上記送信器は、異なる拡散コードを使用してＣＤＭＡ原理で共用チャンネルのタイムスロットにおいて多数の無線バーストを同時に送信するように構成され、そして上記送信器は、異なる受信器又は受信器グループに対し異なるトレーニングシーケンスを無線バーストにおいて使用するように構成された請求項２９又は３０に記載の通信システム。
【請求項３２】
上記受信器は、異なる拡散コードをもつ多数の無線バーストを同時に受信するように構成され、そして上記受信器は、それがトレーニングシーケンスを識別するところの１つ以上の無線バーストを受け入れるように構成された請求項３１に記載の通信システム。
【請求項３３】
上記受信器は、トレーニングシーケンス及び拡散コードの両方により無線バーストを識別するように構成された請求項３１又は３２に記載の通信システム。
【請求項３４】
上記通信システムは、共用タイムスロットに一度に１つのＴＤＭＡフレームを割り当てるように構成され、そして上記送信器は、トレーニングシーケンスを使用して、どの受信器又は受信器グループにタイムスロットが各フレームに割り当てられるかを指示するとうに構成された請求項２９ないし３３のいずれかに記載の通信システム。
【請求項３５】
トレーニングシーケンス（３００）が与えられたデータパケット（３３０Ａから３３０Ｄ）を共用チャンネル（３１２）を経て送信するように構成されているような通信システムにおける送信器（１２０）であって、異なるトレーニングシーケンス（３００）をもって異なる受信器（ＵＥ）または受信器グループへアドレスされたデータパケット（３３０Ａから３３０Ｄ）を上記共用チャンネルに送信するように構成されていることを特徴とする送信器。
【請求項３６】
ベースステーションである請求項３５に記載の送信器。
【請求項３７】
トレーニングシーケンス（３００）が与えられたデータパケット（３３０Ａから３３０Ｄ）を共用チャンネルを経て受信し且つ上記トレーニングシーケンス（３００）に基づいてチャンネル推定値を発生するように構成されているような通信システムにおける受信器（ＵＥ）であって、該受信器（ＵＥ）が識別するトレーニングシーケンス（３００）を有するデータパケット（３３０Ａから３３０Ｄ）を更に処理し、該受信器（ＵＥ）が識別しないトレーニングシーケンス（３００）を有するデータパケット（３３０Ａから３３０Ｄ）を無視するように構成されたことを特徴とする受信器。
【請求項３８】
移動電話である請求項３７に記載の受信器。